(57)【要約】【課題】既に印刷済みのＣＤ／ＤＶＤレーベルに対して追加印刷を行う。【解決手段】回転記録媒体１００の印刷面１０１に印刷データを印刷する機能を有する印刷装置１であって、印刷装置１に挿入された回転記録媒体１００の印刷面１０１を光学的に読み取り、画像データ１４１を生成する光学読取部１２０と、画像データ１４１を表示する表示部１４０と、表示部１４０に表示された画像データ１４１を任意の角度で所定の方向に回転させる操作部１５０と、任意の角度で回転させた画像データ１４１に追加データを配置するデータ追加部と、追加データを任意の角度で所定の方向と反対の方向に回転させた印刷データを生成する印刷データ生成部と、を含む印刷装置１。【選択図】図１
2009220390.tif 000002
【特許請求の範囲】
【請求項１】
回転記録媒体の印刷面に印刷データを印刷する印刷部と、
前記回転記録媒体の前記印刷面を光学的に読み取り、画像データを生成する光学読取部と、
前記画像データを表示する表示部と、
前記表示部に表示された前記画像データを任意の角度で任意の方向に回転させる操作部と、
前記操作部で回転させた前記画像データ上に追加する追加データを配置するデータ追加部と、
前記追加データを前記画像データの中心を基準にして前記任意の角度で前記任意の方向と反対の方向に回転させた前記印刷データを生成し、前記印刷部に前記印刷データを出力する印刷データ生成部と、
を含む、
ことを特徴とする印刷装置。
【請求項２】
請求項１に記載の印刷装置において、前記光学読取部は、前記印刷装置が含むキャリッジに設置されていることを特徴とする印刷装置。
【請求項３】
回転記録媒体の印刷面に印刷データを印刷する印刷部と、
前記回転記録媒体の前記印刷面を光学的に読み取り、画像データを生成する光学読取部と、
を含む印刷装置と、
前記印刷装置とデータの入出力を行うインターフェース部と、
前記インターフェース部を介して入力した前記画像データを表示する表示部と、
前記表示部に表示された前記画像データを任意の角度で任意の方向に回転させる操作部と、
前記操作部で回転させた前記画像データ上に追加する追加データを配置するデータ追加部と、
前記追加データを前記画像データの中心を基準にして前記任意の角度で前記任意の方向と反対の方向に回転させた前記印刷データを生成し、前記印刷部に前記印刷データを出力する印刷データ生成部と、
を含む処理装置と、
を含む、
ことを特徴とする印刷システム。
【発明の詳細な説明】
【技術分野】
【０００１】
本発明は、ＣＤ／ＤＶＤなどの回転記録媒体の印刷面に情報を印刷する印刷装置及び印刷システムに関する。
【背景技術】
【０００２】
インクジェットプリンタなどの印刷装置には、ＣＤ／ＤＶＤなどの回転記録媒体の記録面の裏側に設けられた印刷面（レーベル面）に印刷を行う機能やスキャナ機能などを備えた複合機がある。これらの複合機では、例えば特許文献１に示すように、ＣＤ／ＤＶＤの印刷面に印刷を行う際、ＣＤ／ＤＶＤをプリンタ内部に搬送するための走査キャリッジにセットし、複合機内部の印字ヘッドに送り込むことにより印刷を行っている。
【０００３】
【特許文献１】特開２００７−１３０９２７号公報
【発明の開示】
【発明が解決しようとする課題】
【０００４】
しかしながら、従来の方法では、走査キャリッジにＣＤ／ＤＶＤがどの角度で乗せられているかを判別する手段がなく、既に印刷してある印刷面に文字や画像などを追記することが難しいという課題がある。
【課題を解決するための手段】
【０００５】
本発明は、上述の課題の少なくとも一部を解決するためになされたものであり、以下の形態または適用例として実現することが可能である。
【０００６】
［適用例１］
回転記録媒体の印刷面に印刷データを印刷する印刷部と、前記回転記録媒体の前記印刷面を光学的に読み取り、画像データを生成する光学読取部と、前記画像データを表示する表示部と、前記表示部に表示された前記画像データを任意の角度で任意の方向に回転させる操作部と、前記操作部で回転させた前記画像データ上に追加する追加データを配置するデータ追加部と、前記追加データを前記画像データの中心を基準にして前記任意の角度で前記任意の方向と反対の方向に回転させた前記印刷データを生成し、前記印刷部に前記印刷データを出力する印刷データ生成部と、を含む、ことを特徴とする印刷装置。
【０００７】
この構成によれば、印刷装置に挿入された回転記録媒体の回転角度を気にせずに、既に印刷された回転記録媒体の印刷面に追加データを印刷することができる。
【０００８】
［適用例２］
上記に記載の印刷装置において、前記光学読取部は、前記印刷装置が含むキャリッジに設置されていることを特徴とする印刷装置。
【０００９】
この構成によれば、キャリッジに光学読取部を設置しキャリッジを回転記録媒体の印刷面上で移動することにより印刷面を光学的に読み取ることができ、新たに光学読取部を設置するためのスペースを設けることなく実現できる。
【００１０】
［適用例３］
回転記録媒体の印刷面に印刷データを印刷する印刷部と、前記回転記録媒体の前記印刷面を光学的に読み取り、画像データを生成する光学読取部と、を含む印刷装置と、前記印刷装置とデータの入出力を行うインターフェース部と、前記インターフェース部を介して入力した前記画像データを表示する表示部と、前記表示部に表示された前記画像データを任意の角度で任意の方向に回転させる操作部と、前記操作部で回転させた前記画像データ上に追加する追加データを配置するデータ追加部と、前記追加データを前記画像データの中心を基準にして前記任意の角度で前記任意の方向と反対の方向に回転させた前記印刷データを生成し、前記印刷部に前記印刷データを出力する印刷データ生成部と、を含む処理装置と、を含む、ことを特徴とする印刷システム。
【００１１】
この構成によれば、印刷装置に挿入された回転記録媒体の回転角度を気にせずに、既に印刷された回転記録媒体の印刷面に追加データを印刷することができる。
【発明を実施するための最良の形態】
【００１２】
以下、印刷装置の実施形態について図面に従って説明する。
【００１３】
（第１実施形態）
＜印刷装置の構成＞
先ず、第１実施形態に係る印刷装置の構成について、図１を参照して説明する。図１は、第１実施形態に係る印刷装置の構成を示す外観図である。
【００１４】
図１に示すように、回転記録媒体であるＣＤ／ＤＶＤ１００は、印刷装置１で印刷するためにトレイ１１０にセットされ、トレイ挿入口１３０に挿入される。トレイ挿入口１３０の上部には、光学読取部であるラインセンサ（Line Scanner）１２０が取り付けられている。ラインセンサ１２０は、トレイ１１０がトレイ挿入口１３０から内部に引き込まれる際にＣＤ／ＤＶＤ１００の印刷面１０１を光学的に読み取り、印刷面１０１の画像データ１４１を生成する。
【００１５】
印刷装置１は、表示部である液晶ディスプレイ（ＬＣＤ：Liquid Crystal Display）１４０と、操作部１５０とを備えている。ＬＣＤ１４０には、ラインセンサ１２０で読み取られた印刷面１０１の画像データ１４１が表示される。操作部１５０には、中央にＯＫボタン１５１が配置され、ＯＫボタン１５１の上下に上ボタン１５２と下ボタン１５３とが配置され、ＯＫボタン１５１の左右に左ボタン１５４と右ボタン１５５とが配置されている。例えば、左ボタン１５４を押すと、ＬＣＤ１４０に表示されている画像データ１４１が左回りに１度回転し、右ボタン１５５を押すと、ＬＣＤ１４０に表示されている画像データ１４１が右回りに１度回転する。
【００１６】
図１の場合、ＣＤ／ＤＶＤ１００は、トレイ１１０に既に印刷されている印刷面１０１が左に約３０度傾いてセットされている。ＬＣＤ１４０には、この印刷面１０１を光学的に読み取った画像データ１４１が左に約３０度傾いて表示されている。
【００１７】
次に、印刷装置の内部構成について図２を参照して説明する。図２は、印刷装置の内部構成を示すブロック図である。
【００１８】
図２に示すように、印刷装置１は、ＣＰＵ２００と、ＲＯＭ２１０と、ＲＡＭ２２０と、インターフェース部（Ｉ／Ｆ：InterFace）２３０と、ラインセンサ１２０を制御するスキャナコントローラ２４０と、ＬＣＤ１４０を制御するＬＣＤコントローラ２５０と、操作部１５０と、印刷部であるプリンタコントローラ２６０と、が内部バス２７０を介して接続されている。ＣＰＵ２００は、ＲＯＭ２１０に格納されたデータ追加部２０２と印刷データ生成部２０４などを含む制御プログラムを読み出し、処理を実行する。
【００１９】
次に、印刷装置の動作について図３を参照して説明する。図３は、印刷装置の動作を示すフローチャートである。
【００２０】
先ず、ステップＳ３０２では、印刷装置１は、トレイ挿入口１３０にトレイ１１０が挿入されたことを感知する。
【００２１】
次に、ステップＳ３０４では、ラインセンサ１２０によりトレイ１１０にセットされたＣＤ／ＤＶＤ１００の印刷面１０１を光学的に読み取り、画像データ１４１を生成する。
【００２２】
次に、ステップＳ３０６では、画像データ１４１をＬＣＤ１４０に表示する。
【００２３】
次に、ステップＳ３０８では、左ボタン１５４か右ボタン１５５が押され、画像データ１４１を回転させる指示が操作部１５０からあったか否かを判定し、指示があった場合はステップＳ３１０に移行し、指示がない場合はステップＳ３１２に移行する。
【００２４】
次に、ステップＳ３１０では、左ボタン１５４が押された場合は画像データ１４１を左回りに１度回転させ、右ボタン１５５が押された場合は画像データ１４１を右回りに１度回転させ、ステップＳ３０６に移行する。なお、ＣＰＵ２００は、現時点の画像データ１４１の回転方向（左回り／右回り）と角度を記憶しておく。
【００２５】
一方、ステップＳ３１２では、操作部１５０のＯＫボタン１５１が押されたか否かを判定し、押された場合はステップＳ３１４に移行し、押されない場合はステップＳ３０６に移行する。
【００２６】
次に、ステップＳ３１４では、データ追加部２０２により画像データ１４１に追加データを配置する処理を行う。この処理は、印刷装置１の使用者が追加したい画像データを選択し、画像データ１４１の空いている場所に配置し、ＯＫボタン１５１により確定される。
【００２７】
次に、ステップＳ３１６では、印刷データ生成部２０４により配置した追加データをＣＰＵ２００が記憶した現時点の画像データ１４１の回転方向とは逆の方向に、記憶した角度だけ画像データ１４１の中心点を基準に回転させ、プリンタコントローラ２６０に内部バス２７０を介して送る。
【００２８】
次に、ステップＳ３１８では、プリンタコントローラ２６０によりＣＤ／ＤＶＤ１００の印刷面１０１への追加データの印刷が実行される。
【００２９】
次に、印刷装置の動作の例を図４を参照して説明する。図４は、印刷装置の動作の例を示す画面遷移図である。
【００３０】
図４（Ａ）は、トレイ挿入口１３０にトレイ１１０が挿入され、ラインセンサ１２０でＣＤ／ＤＶＤ１００の印刷面１０１を光学的に読み取った画像データ１４１をＬＣＤ１４０に表示した状態を示す。画像データ１４１は、既にＣＤ／ＤＶＤ１００の印刷面１０１に画像Ａ〜Ｅが印刷され、左回りに３０度傾いた状態を示している。ＬＣＤ１４０には、画像データ１４１と共に水平方向と垂直方向に点線で示すガイドライン１４３が表示されており、画像データ１４１を水平に回転させるための目安となる。
【００３１】
図４（Ｂ）は、図４（Ａ）の状態から右ボタン１５５を３０回押すことにより、画像データ１４１を右回りに３０度回転させた状態を示す。ＣＰＵ２００は、画像データ１４１の現時点の回転方向を右回り、角度を３０度で記憶している。
【００３２】
図４（Ｃ）は、データ追加部２０２により、図４（Ｂ）の画像データ１４１の空いている場所に追加データ１４２を配置した状態を示す。
【００３３】
図４（Ｄ）は、印刷データ生成部２０４により、配置した追加データ１４２をＣＰＵ２００が記憶した現時点の画像データ１４１の回転方向とは逆の方向に、記憶した角度だけ画像データ１４１の中心点を基準に回転させた状態を示す。追加データ１４２は、画像データ１４１の中心点を基準に左回りに３０度回転している。この状態の追加データ１４２がプリンタコントローラ２６０に送られ、ＣＤ／ＤＶＤ１００の印刷面１０１に印刷される。
【００３４】
以上に述べた本実施形態によれば、以下の効果が得られる。
【００３５】
本実施形態では、印刷装置１に挿入されたＣＤ／ＤＶＤ１００の回転角度を気にせずに、既に印刷されたＣＤ／ＤＶＤ１００の印刷面１０１に追加データ１４２を印刷することができる。
【００３６】
以上、印刷装置の実施形態を説明したが、こうした実施の形態に何ら限定されるものではなく、趣旨を逸脱しない範囲内において様々な形態で実施し得ることができる。以下、変形例を挙げて説明する。
【００３７】
（変形例１）印刷装置の変形例１について説明する。前記第１実施形態では、トレイ挿入口１３０の上部にラインセンサ１２０を取り付けた場合を説明したが、印刷装置１が備えるキャリッジに小型センサを取り付けてもよい。この場合、トレイ１１０がトレイ挿入口１３０から内部に引き込まれる際に、キャリッジをインクの吐出を行わずに左右動作させることにより、小型センサがＣＤ／ＤＶＤ１００の印刷面１０１を光学的に読み取ることができる。
【００３８】
（変形例２）印刷装置の変形例２について説明する。前記第１実施形態では、印刷装置１にすべての機能を搭載させる場合を説明したが、印刷装置と処理装置による印刷システムで構成してもよい。
【００３９】
図５は、変形例２に係る印刷システムの構成を示す外観図である。図５に示すように、印刷システム５００は、印刷装置５１０と、パーソナルコンピュータなどの処理装置５２０をケーブル５３０で接続して構成されている。表示部は、処理装置５２０に接続されたＬＣＤ１４０で構成され、操作部１５０は、処理装置５２０に接続されたキーボードやマウスなどで構成される。データ追加部２０２及び印刷データ生成部２０４は、処理装置５２０の図示しないＲＯＭに記憶され、処理装置５２０の図示しないＣＰＵで実行される。
【図面の簡単な説明】
【００４０】
【図１】第１実施形態に係る印刷装置の構成を示す外観図。
【図２】印刷装置の内部構成を示すブロック図。
【図３】印刷装置の動作を示すフローチャート。
【図４】印刷装置の動作の例を示す画面遷移図。
【図５】変形例２に係る印刷システムの構成を示す外観図。
【符号の説明】
【００４１】
１…印刷装置、１００…ＣＤ／ＤＶＤ，１０１…印刷面、１１０…トレイ、１２０…ラインセンサ、１３０…トレイ挿入口、１４０…ＬＣＤ、１４１…画像データ、１４２…追加データ、１４３…ガイドライン、１５０…操作部、１５１…ＯＫボタン、１５２…上ボタン、１５３…下ボタン、１５４…左ボタン、１５５…右ボタン、２００…ＣＰＵ、２０２…データ追加部、２０４…印刷データ生成部、２１０…ＲＯＭ、２２０…ＲＡＭ、２４０…スキャナコントローラ、２５０…ＬＣＤコントローラ、２６０…プリンタコントローラ、２７０…内部バス、５００…印刷システム、５１０…印刷装置、５２０…処理装置、５３０…ケーブル。
【図１】
2009220390.tif 000003
【図２】
2009220390.tif 000004
【図３】
2009220390.tif 000005
【図４】
2009220390.tif 000006
【図５】
2009220390.tif 000007